(57)【要約】【課題】  アンテナの切り替えや受信機の選択等に伴う出力信号の乱れをなくすことができ、また、出力信号に含まれるノイズを低減して出力信号の品質を向上させることができる放送受信装置を提供すること。【解決手段】  複数のアンテナと、複数の受信部と、これら各受信部における放送電波の受信状態を検出する受信状態検出部１９と、複数の受信部において復調された各信号を記憶する記憶部２０と、受信状態検出部１９からの検出信号に基づいて、各放送電波の受信品質を所定時間毎に判定し、該判定結果に基づいて、記憶部に記憶された各受信部の復調信号の中から所定条件に適合する復調信号を読み出すための読出制御と該読出制御に対応する信号処理制御とを行う制御部２２と、制御部２２による信号処理制御に基づいて、記憶部２０から送られてくる復調信号に基づいて出力信号を生成する処理を行う信号処理部２１とを備えている。【選択図】  図１                               
2005341349.tif 000002
【特許請求の範囲】
【請求項１】
放送電波を受信する複数のアンテナと、
これらアンテナで受信された各放送電波から信号成分をそれぞれ取り出す複数の受信手
段と、
前記各放送電波の受信状態を検出する受信状態検出手段と、
前記複数の受信手段により前記各放送電波から取り出された各信号成分を記憶する記憶
手段と、
前記受信状態検出手段からの検出信号に基づいて、前記各放送電波の受信品質を所定の
タイミングで判定し、該判定結果に基づいて、前記記憶手段に記憶された各信号の中から
所定条件に適合する信号を読み出す読出制御と該読出制御に対応する信号処理制御とを行
う制御手段と、
該制御手段による信号処理制御に基づいて、前記記憶手段から送られてくる信号に基づ
いて出力信号を生成する処理を行う信号処理手段とを備えていることを特徴とする放送受
信装置。
【請求項２】
前記制御手段が、前記記憶手段に記憶された各信号の中から受信品質が最も良い信号を
読み出す読出制御と、前記受信品質が最も良い信号に基づいて出力信号を生成させる信号
処理制御とを行うものであり、
前記信号処理手段が、前記制御手段による信号処理制御に基づいて、前記記憶手段から
送られてくる受信品質が最も良い信号に基づいて出力信号を生成する処理を行うものであ
ることを特徴とする請求項１記載の放送受信装置。
【請求項３】
前記制御手段が、前記記憶手段に記憶された各信号の中から受信品質が良い方のいくつ
かの信号を読み出す読出制御と、前記受信品質が良い方のいくつかの信号を加算平均して
出力信号を生成させる信号処理制御とを行うものであり、
前記信号処理手段が、前記制御手段による信号処理制御に基づいて、前記記憶手段から
送られてくる受信品質が良い方のいくつかの信号を加算平均し、該加算平均された信号に
基づいて出力信号を生成する処理を行うものであることを特徴とする請求項１記載の放送
受信装置。
【請求項４】
前記制御手段が、前記記憶手段に記憶された各信号の中から受信品質が所定レベル以上
の信号を読み出す読出制御と、前記受信品質が所定レベル以上の信号を加算平均して出力
信号を生成させる信号処理制御とを行うものであり、
前記信号処理手段が、前記制御手段による信号処理制御に基づいて、前記記憶手段から
送られてくる受信品質が所定レベル以上の信号を加算平均し、該加算平均された信号に基
づいて出力信号を生成する処理を行うものであることを特徴とする請求項１記載の放送受
信装置。
【請求項５】
前記制御手段が、前記記憶手段に記憶された各信号の中から所定条件に適合する信号を
読み出す読出制御と、読み出された信号に受信品質に応じた重み付けを行い、該重み付け
した信号を加算平均して出力信号を生成させる信号処理制御とを行うものであり、
前記信号処理手段が、前記制御手段による信号処理制御に基づいて、前記記憶手段から
送られてくる各信号に受信品質に応じた重み付けを行い、該重み付けされた信号を加算平
均し、該加算平均された信号に基づいて出力信号を生成する処理を行うものであることを
特徴とする請求項１記載の放送受信装置。
【請求項６】
前記制御手段が、前記記憶手段に記憶された各信号の中から受信品質が最も良い信号と
、受信品質が悪い方のいくつかの信号とを読み出す読出制御と、前記受信品質が悪い方の
信号に含まれるノイズ成分を検出し、該ノイズ成分を用いて、前記受信品質が最も良い信
号に含まれるノイズ成分を除去した出力信号を生成させる信号処理制御とを行うものであ
り、
前記信号処理手段が、前記制御手段による信号処理制御に基づいて、前記記憶手段から
送られてくる前記受信品質が悪い方の信号に含まれるノイズ成分を検出し、該ノイズ成分
を用いて、前記受信品質が最も良い信号に含まれるノイズ成分を除去した信号に基づいて
出力信号を生成する処理を行うものであることを特徴とする請求項１記載の放送受信装置
。
【請求項７】
前記制御手段が、前記記憶手段に記憶された各信号の中から受信品質が所定レベル以上
の信号と受信品質が所定レベル未満の信号とを読み出す読出制御と、前記受信品質が所定
レベル未満の信号に含まれるノイズ成分を検出し、前記受信品質が所定レベル以上の信号
を加算平均し、前記ノイズ成分を用いて、前記加算平均された信号に含まれるノイズ成分
を除去した出力信号を生成させる信号処理制御とを行うものであり、
前記信号処理手段が、前記制御手段による信号処理制御に基づいて、前記記憶手段から
送られてくる前記受信品質が所定レベル未満の信号に含まれるノイズ成分を検出し、前記
受信品質が所定レベル以上の信号を加算平均し、前記ノイズ成分を用いて前記加算平均さ
れた信号に含まれるノイズ成分を除去した信号に基づいて出力信号を生成する処理を行う
ものであることを特徴とする請求項１記載の放送受信装置。
【請求項８】
前記制御手段が、前記受信品質に応じた読出制御と信号処理制御との複数の制御パター
ンを備え、これら制御パターンの中から、前記判定された受信品質に応じた読出制御と信
号処理制御とを行うものであり、
前記信号処理手段が、前記制御手段による信号処理制御に基づいて、前記受信品質に応
じた信号処理により出力信号を生成するものであることを特徴とする請求項１記載の放送
受信装置。
【発明の詳細な説明】
【技術分野】
【０００１】
本発明は放送受信装置に関し、より詳細にはテレビジョン放送やラジオ放送などの放送
電波を受信する放送受信装置に関する。
【背景技術】
【０００２】
従来のテレビジョン放送やＦＭラジオ放送などの放送受信装置には、移動時における受
信電波の状態変化に対応するため、複数設けられたアンテナを適宜切り替えながら放送電
波を受信する形式のものがある（例えば、下記の特許文献１参照）。しかしながら、この
ような放送受信装置では、アンテナが切り替えられる瞬間に音切れが発生したり、予め設
定された順序でアンテナが切り替えられると、切り替え後のアンテナの方がかえって受信
状態が悪化しているという場合もあり、アンテナの切り替えが頻繁に行われた場合、出力
される映像信号や音声信号に乱れ、すなわちノイズ等が発生しやすいという課題があった
。
【０００３】
このような、移動時における受信品質の低下を軽減することを目的とした放送受信装置
が、例えば下記の特許文献２に記載されている。図１５は、特許文献２記載のディジタル
放送受信装置の要部を概略的に示したブロック図である。
【０００４】
ディジタル放送受信装置５０は、第１〜第３のアンテナ５１、５５、５９、第１〜第３
のチューナ５２、５６、６０、第１〜第３の復調部５３、５７、６１、第１〜第３の受信
品質検出部５４、５８、６２、選択部６３、判定部６４、制御部６５、トランスポートデ
コード部６６、及びＭＰＥＧデコード、Ｄ／Ａ変換部６７を含んで構成されている。
【０００５】
第１〜第３のアンテナ５１、５５、５９で受信されたディジタル放送波は、制御部６５
からの制御信号によってそれぞれ第１〜第３のチューナ５２、５６、６０で放送波が選局
され、次にそれぞれ第１〜第３の復調部５３、５７、６１で復調される。各復調部からト
ランスポートストリームが選択部６３へ出力される。また各アンテナで受信されたディジ
タル放送波は、第１〜第３の受信品質検出部５４、５８、６２でそれぞれの受信品質が検
出される。
【０００６】
第１〜第３の受信品質検出部５４、５８、６２の出力は判定部６４に入力され、判定部
６４は、３つのアンテナの受信品質を判定し、３つの内で最良となる検出出力を判定し、
その検出出力に相当する復調部の復調出力を選択するよう選択部６３へ制御信号を送る。
【０００７】
選択部６３は、この制御信号によって３つの復調出力から１つを選択する。この選択さ
れたＭＰＥＧシステムで多重されている信号は、トランスポートデコード部６６で分離さ
れ、必要なチャンネルのディジタル信号がＭＰＥＧデコーダー、Ｄ／Ａ変換部６７でデコ
ードされ、それぞれアナログ信号として出力される。したがってディジタル放送受信装置
５０では、複数の復調信号の内で最良の受信品質のものを選択することにより、受信品質
の低下の発生を軽減することができるとしている。
【０００８】
しかしながら、特許文献２記載のディジタル放送受信装置５０では、選択部６３におい
て、各復調部からの復調出力のうちの１つを選択して出力するようになっており、依然と
してこれらの選択によりタイムラグ等、瞬間的な信号の乱れが発生するという課題があっ
た。
【特許文献１】特開平８−１０７３７８号公報
【特許文献２】特開２００２−２４６９３０号公報
【発明の開示】
【課題を解決するための手段及びその効果】
【０００９】
本発明は上記課題に鑑みなされたものであって、アンテナの切り替えや受信機からの信
号の選択等に伴う出力信号の乱れをなくすことができ、また、出力信号に含まれるノイズ
レベルを低減して高品質な信号を出力することができる放送受信装置を提供することを目
的としている。
【００１０】
上記目的を達成するために本発明に係る放送受信装置（１）は、放送電波を受信する複
数のアンテナと、これらアンテナで受信された各放送電波から信号成分をそれぞれ取り出
す複数の受信手段と、前記各放送電波の受信状態を検出する受信状態検出手段と、前記複
数の受信手段により前記各放送電波から取り出された各信号成分を記憶する記憶手段と、
前記受信状態検出手段からの検出信号に基づいて、前記各放送電波の受信品質を所定のタ
イミングで判定し、該判定結果に基づいて、前記記憶手段に記憶された各信号の中から所
定条件に適合する信号を読み出す読出制御と該読出制御に対応する信号処理制御とを行う
制御手段と、該制御手段による信号処理制御に基づいて、前記記憶手段から送られてくる
信号に基づいて出力信号を生成する処理を行う信号処理手段とを備えていることを特徴と
している。
【００１１】
上記放送受信装置（１）によれば、前記複数の受信手段により前記各放送電波から取り
出された各信号成分が前記記憶手段に記憶され、前記制御手段により前記所定のタイミン
グ（例えば、所定時間毎）で判定された各放送電波の受信品質の判定結果に基づいて、前
記記憶手段に記憶された各信号の中から所定条件に適合する信号が読み出され、前記信号
処理手段により、前記制御手段による信号処理制御に基づいて、前記記憶手段から送られ
てきた前記信号に対して所定の信号処理が施された出力信号が切れ目なく出力されるので
、従来のようにアンテナの切り替えや受信手段の選択を放送電波の受信状態の変化に従っ
て実行する必要がなくなり、これらアンテナの切り替えや受信手段の選択に伴う出力信号
の瞬間的な乱れ等をなくすことができ、放送電波の受信状態が頻繁に変化する場合でも、
乱れのない信号を安定して出力することができる。
【００１２】
また本発明に係る放送受信装置（２）は、上記放送受信装置（１）において、前記制御
手段が、前記記憶手段に記憶された各信号の中から受信品質が最も良い信号を読み出す読
出制御と、前記受信品質が最も良い信号に基づいて出力信号を生成させる信号処理制御と
を行うものであり、前記信号処理手段が、前記制御手段による信号処理制御に基づいて、
前記記憶手段から送られてくる受信品質が最も良い信号に基づいて出力信号を生成する処
理を行うものであることを特徴としている。
【００１３】
上記放送受信装置（２）によれば、前記記憶手段に記憶された各信号の中から受信品質
が最も良い信号が読み出されて、前記信号処理手段によって、前記受信品質が最も良い信
号に基づいて出力信号が生成される。したがって、前記記憶手段から送られてきた受信品
質が最も良い信号に基づいて生成された出力信号が切れ目なく出力されることとなり、上
記放送受信装置（１）と略同様な効果を得ることができる。また、前記受信品質が最も良
い信号を利用することにより、出力される信号に含まれるノイズ成分を常に少なくするこ
とができ、出力される信号のノイズレベルを低減することができ、Ｓ／Ｎ比を良好なもの
とすることができる。
【００１４】
また本発明に係る放送受信装置（３）は、上記放送受信装置（１）において、前記制御
手段が、前記記憶手段に記憶された各信号の中から受信品質が良い方のいくつかの信号を
読み出す読出制御と、前記受信品質が良い方のいくつかの信号を加算平均して出力信号を
生成させる信号処理制御とを行うものであり、前記信号処理手段が、前記制御手段による
信号処理制御に基づいて、前記記憶手段から送られてくる受信品質が良い方のいくつかの
信号を加算平均し、該加算平均された信号に基づいて出力信号を生成する処理を行うもの
であることを特徴としている。
【００１５】
上記放送受信装置（３）によれば、前記記憶手段に記憶された各信号の中から受信品質
が良い方のいくつかの信号が読み出され、前記信号処理手段によって、前記記憶手段から
送られてきた受信品質が良い方のいくつかの信号が加算平均され、該加算平均された信号
に基づいて出力信号が生成される。したがって、前記加算平均された信号に基づいて生成
された出力信号が切れ目なく出力されることとなり、上記放送受信装置（１）と略同様な
効果を得ることができる。また、前記加算平均により前記読み出された信号にもともと含
まれるノイズレベルを低減することができ、出力される信号のＳ／Ｎ比を改善して、出力
信号の質を高めることができる。
【００１６】
また本発明に係る放送受信装置（４）は、上記放送受信装置（１）において、前記制御
手段が、前記記憶手段に記憶された各信号の中から受信品質が所定レベル以上の信号を読
み出す読出制御と、前記受信品質が所定レベル以上の信号を加算平均して出力信号を生成
させる信号処理制御とを行うものであり、前記信号処理手段が、前記制御手段による信号
処理制御に基づいて、前記記憶手段から送られてくる受信品質が所定レベル以上の信号を
加算平均し、該加算平均された信号に基づいて出力信号を生成する処理を行うものである
ことを特徴としている。
【００１７】
上記放送受信装置（４）によれば、前記記憶手段に記憶された各信号の中から受信品質
が所定レベル以上の信号が読み出され、前記信号処理手段によって、前記記憶手段から送
られてきた受信品質が所定レベル以上の信号が加算平均され、該加算平均された信号に基
づいて出力信号が生成される。したがって、前記加算平均された信号に基づいて生成され
た出力信号が切れ目なく出力されることとなり、上記放送受信装置（１）と略同様な効果
を得ることができる。また、上記放送受信装置（３）と比較して、前記受信品質が所定レ
ベル以上の信号が加算平均されるので、出力される信号に含まれるノイズレベルを低く抑
えることが可能となり、出力される信号のＳ／Ｎ比をさらに改善することができる。  
【００１８】
また本発明に係る放送受信装置（５）は、上記放送受信装置（１）において、前記制御
手段が、前記記憶手段に記憶された各信号の中から所定条件に適合する信号を読み出す読
出制御と、読み出された信号に受信品質に応じた重み付けを行い、該重み付けした信号を
加算平均して出力信号を生成させる信号処理制御とを行うものであり、前記信号処理手段
が、前記制御手段による信号処理制御に基づいて、前記記憶手段から送られてくる各信号
に受信品質に応じた重み付けを行い、該重み付けされた信号を加算平均し、該加算平均さ
れた信号に基づいて出力信号を生成する処理を行うものであることを特徴としている。
【００１９】
上記放送受信装置（５）によれば、前記記憶手段に記憶された各信号の中から所定条件
に適合する信号が読み出され、前記信号処理手段によって、前記記憶手段から送られてき
た各信号に受信品質に応じた重み付けが行われ、該重み付けされた信号を加算平均した信
号に基づいて出力信号が生成される。したがって、前記重み付けされた後、加算平均され
た信号に基づいて生成された出力信号が切れ目なく出力されることとなり、上記放送受信
装置（１）と略同様な効果を得ることができる。また、前記重み付け、例えば、受信品質
が低い信号ほど増幅レベルを小さくし、受信品質が高い信号ほど増幅レベルを大きくする
ことにより、これらを加算平均すると、受信品質が低い信号のノイズレベルを低減させる
ことができ、複数の信号を加算平均する場合に、信号全体のノイズレベルを低減させるこ
とができる。
【００２０】
また本発明に係る放送受信装置（６）は、上記放送受信装置（１）において、前記制御
手段が、前記記憶手段に記憶された各信号の中から受信品質が最も良い信号と、受信品質
が悪い方のいくつかの信号とを読み出す読出制御と、前記受信品質が悪い方の信号に含ま
れるノイズ成分を検出し、該ノイズ成分を用いて、前記受信品質が最も良い信号に含まれ
るノイズ成分を除去した出力信号を生成させる信号処理制御とを行うものであり、前記信
号処理手段が、前記制御手段による信号処理制御に基づいて、前記記憶手段から送られて
くる前記受信品質が悪い方の信号に含まれるノイズ成分を検出し、該ノイズ成分を用いて
、前記受信品質が最も良い信号に含まれるノイズ成分を除去した信号に基づいて出力信号
を生成する処理を行うものであることを特徴としている。
【００２１】
上記放送受信装置（６）によれば、前記記憶手段に記憶された各信号の中から受信品質
が最も良い信号と、受信品質が悪い方のいくつかの信号とが読み出され、前記信号処理手
段によって、前記記憶手段から送られてきた前記受信品質が悪い方の信号に含まれるノイ
ズ成分が検出され、該ノイズ成分を用いて、前記受信品質が最も良い信号に含まれるノイ
ズ成分を除去した信号に基づいて出力信号が生成される。したがって、前記受信品質が最
も良い信号に含まれるノイズ成分が除去された信号に基づいて生成された出力信号が切れ
目なく出力されることとなり、上記放送受信装置（１）と略同様な効果を得ることができ
るとともに、前記受信品質が最も良い信号に含まれるノイズ成分が除去されることにより
出力される信号の品質を一層向上させることができる。
【００２２】
また本発明に係る放送受信装置（７）は、上記放送受信装置（１）において、前記制御
手段が、前記記憶手段に記憶された各信号の中から受信品質が所定レベル以上の信号と受
信品質が所定レベル未満の信号とを読み出す読出制御と、前記受信品質が所定レベル未満
の信号に含まれるノイズ成分を検出し、前記受信品質が所定レベル以上の信号を加算平均
し、前記ノイズ成分を用いて、前記加算平均された信号に含まれるノイズ成分を除去した
出力信号を生成させる信号処理制御とを行うものであり、前記信号処理手段が、前記制御
手段による信号処理制御に基づいて、前記記憶手段から送られてくる前記受信品質が所定
レベル未満の信号に含まれるノイズ成分を検出し、前記受信品質が所定レベル以上の信号
を加算平均し、前記ノイズ成分を用いて前記加算平均された信号に含まれるノイズ成分を
除去した信号に基づいて出力信号を生成する処理を行うものであることを特徴としている
。
【００２３】
上記放送受信装置（７）によれば、前記記憶手段に記憶された各信号の中から受信品質
が所定レベル以上の信号と受信品質が所定レベル未満の信号とが読み出され、前記信号処
理手段によって、前記記憶手段から送られてきた前記受信品質が所定レベル未満の信号に
含まれるノイズ成分が検出され、前記受信品質が所定レベル以上の信号が加算平均され、
前記ノイズ成分を用いて、前記加算平均された信号に含まれるノイズ成分が除去された信
号に基づいて出力信号が生成される。したがって、前記加算平均された信号に含まれるノ
イズ成分が除去された信号に基づいて生成された出力信号が切れ目なく出力されることと
なり、上記放送受信装置（１）と略同様な効果を得ることができる。また、前記受信品質
が所定レベル以上の信号を加算平均することにより、平均後の信号に含まれるノイズレベ
ルを低減することができる。
【００２４】
また本発明に係る放送受信装置（８）は、上記放送受信装置（１）において、前記制御
手段が、前記受信品質に応じた読出制御と信号処理制御との複数の制御パターンを備え、
これら制御パターンの中から、前記判定された受信品質に応じた読出制御と信号処理制御
とを行うものであり、前記信号処理手段が、前記制御手段による信号処理制御に基づいて
、前記受信品質に応じた信号処理により出力信号を生成するものであることを特徴として
いる。
【００２５】
上記放送受信装置（８）によれば、前記制御手段により、これら制御パターンの中から
、前記判定された受信品質に応じた読出制御と信号処理制御とが行われ、前記信号処理手
段により、前記制御手段による信号処理制御に基づいて、前記受信品質に応じた信号処理
が行われるので、前記受信品質に応じた適切な信号処理により、ノイズレベルが低減され
た高品質な出力信号を生成することができる。
【発明を実施するための最良の形態】
【００２６】
以下、本発明に係る放送受信装置の実施の形態を図面に基づいて説明する。図１は、実
施の形態（１）に係る放送受信装置の要部を概略的に示したブロック図である。
放送受信装置１０は、第１のアンテナ１１に接続された第１の受信部１２、第２のアン
テナ１３に接続された第２の受信部１４、第３のアンテナ１５に接続された第３の受信部
１６、第４のアンテナ１７に接続された第４の受信部１８、受信状態検出部１９、記憶部
２０、信号処理部２１、及び制御部２２を含んで構成されている。
【００２７】
第１〜第４の受信部１２、１４、１６、１８は、各アンテナで受信された放送電波から
信号を取り出す、すなわち前記放送電波の中から目的とする周波数の放送波を選択（同調
）し、復調する処理を行うもので、チューナ部、中間周波増幅部、検波部など（いずれも
図示せず）を含んで構成されており、これら各受信部で復調された信号が、それぞれ記憶
部２０に出力されるようになっている。なお、第１〜第４の受信部１２、１４、１６、１
８には、テレビジョン放送波を受信する受信機やラジオ放送波を受信する受信機などが採
用される。
【００２８】
記憶部２０は、第１〜第４の受信部１２、１４、１６、１８で復調された各信号を一時
的に記憶していくものであり、ハードディスクや半導体メモリなどの記憶装置が採用され
、制御部２２からの読出制御信号に基づいて、後段の信号処理に利用する信号を読み出し
、信号処理部２１に出力するようになっている。信号処理部２１は、制御部２２からの信
号処理制御信号に基づいて、記憶部２０から送られてくる信号に基づいて出力信号を生成
する、すなわち送られてくる所定時間単位の信号をつなぎ合わせて出力する処理を行うも
のであり、演算処理回路を含んで構成されている。
【００２９】
また、第１〜第４の受信部１２、１４、１６、１８は、受信状態検出部１９に接続され
ており、受信状態検出部１９は、各アンテナで受信された放送電波の状態、例えば、受信
電界強度、マルチパスなどのノイズ成分、及び／又はＳ／Ｎ比などを検出するものであり
、受信状態検出部１９で検出された検出信号は、制御部２２へ出力されるようになってい
る。なお、受信状態検出部１９が各受信部に含まれる構成としてもよい。
【００３０】
制御部２２は、第１〜第４の受信部１２、１４、１６、１８、記憶部２０、及び信号処
理部２１の各部を制御するもので、マイクロコンピュータから構成されており、受信状態
検出部１９からの検出信号に基づいて、各受信部における放送電波の受信品質を判定する
機能と、該判定結果に基づいて、記憶部２０に記憶された各受信部の復調信号の中から受
信品質が最も良い復調信号を読み出す読出制御機能と、信号処理部２１に対して前記受信
品質が最も良い復調信号に基づいて出力信号を生成させる信号処理制御機能とを備えてい
る。
【００３１】
図２は、実施の形態（１）に係る放送受信装置１０で行われる信号処理方法を説明する
ための図であり、図２（ａ）は記憶部２０に記憶された各復調信号と制御部２２で所定時
間毎に判定された放送電波の受信品質のレベルとを示しており、図２（ｂ）は信号処理部
２１で処理された信号を模式的に示した図である。なお図中Ａのマークは、復調信号に含
まれるノイズを示している。
【００３２】
図２（ａ）に示したように記憶部２０には、各受信部からの復調信号がそれぞれ記憶さ
れるようになっており、制御部２２において、所定時間ｔ毎に各受信部における放送電波
の受信品質レベルが判定されるようになっている。この場合、受信品質が５段階で判定さ
れており、レベル５が受信品質が最も良いことを示している。そして、所定時間ｔ毎に受
信品質が最も良い放送電波から取り出された復調信号が信号処理部２１に送出されるよう
になっている。
【００３３】
図２（ｂ）に示したように信号処理部２１では、記憶部２０から送られてきた所定時間
ｔ毎に判定された受信品質が最も良い復調信号をつなぎ合わせて出力信号を生成する処理
が行われるようになっている。また、各単位時間ｔにおいて、受信品質が最も良い放送電
波が複数検出された場合は、予め設定された選択基準（デフォルト設定）に基づいていず
れかの放送電波から取り出された復調信号が使用されるようになっている。
【００３４】
次に実施の形態（１）に係る放送受信装置１０における制御部２２の行う処理動作を図
３に示したフロ−チャ−トに基づいて説明する。なお本処理動作は、放送電波の受信時に
所定時間毎に実行される。
【００３５】
まず、ステップＳ１では、受信状態検出部１９から各受信部における放送電波の受信状
態（例えば、受信電界強度、ノイズレベル、又はＳ／Ｎ比など）の検出信号を取得する処
理を行い、その後ステップＳ２に進む。ステップＳ２では、取得した各受信部における放
送電波の受信状態の検出信号に基づいて、各受信部における放送電波の受信品質レベルを
判定する処理を行い、その後ステップＳ３に進む。
【００３６】
ステップＳ３では、判定された各受信部における放送電波の受信品質レベルに基づいて
、記憶部２０に記憶された各受信部の復調信号の中から受信品質レベルが最も高い放送電
波から取り出された復調信号を読み出す制御を行い、その後ステップＳ４に進む。
【００３７】
ステップＳ４では、信号処理部２１に対して、記憶部２０から送られてくる受信品質レ
ベルが最も高い復調信号をつなぎ合わせて出力信号を生成させる制御を行い、その後ステ
ップＳ１に戻り処理を繰り返す。
【００３８】
上記実施の形態（１）に係る放送受信装置１０によれば、第１〜第４の受信部１２、１
４、１６、１８でそれぞれ復調された信号が記憶部２０に記憶され、制御部２２による読
出制御に基づいて、記憶部２０に記憶された各受信部の復調信号の中から受信品質が最も
良い復調信号が所定時間単位で読み出され、信号処理部２１によって、記憶部２０から送
られてきた受信品質が最も良い復調信号をつなぎ合わせながら出力信号が生成される。し
たがって、記憶部２０から送られてくる受信品質が最も良い復調信号に基づいて生成され
た出力信号が切れ目なく出力されることとなり、従来のように複数のアンテナの切り替え
や複数の受信部の選択をリアルタイムで実行する必要がなく、これらアンテナの切り換え
や受信部の選択に伴う出力信号の瞬間的な乱れ等をなくすことができ、受信電波の状態が
頻繁に変化する場合でも、乱れのない信号を安定して出力することができる。また、記憶
部２０に記憶された前記受信品質が最も良い復調信号を利用することにより、出力される
信号に含まれるノイズ成分を常に少なくすることができ、出力される信号のノイズレベル
を低減することができる。
【００３９】
次に実施の形態（２）に係る放送受信装置について説明する。但し実施の形態（２）に
係る放送受信装置１０Ａの構成については、信号処理部と、制御部とを除いて図１に示し
た放送受信装置１０と同様であるため、ここでは異なる機能を有する信号処理部２１Ａと
、制御部２２Ａとには異なる符号を付し、その他の構成部品の説明を省略する。
【００４０】
制御部２２Ａは、受信状態検出部１９からの検出信号に基づいて、各受信部における放
送電波の受信品質を判定する機能と、該判定結果に基づいて、記憶部２０に記憶された各
受信部の復調信号の中から受信品質が良い方のいくつかの（例えば、上位２つの）復調信
号を読み出す読出制御機能と、前記受信品質が良い方のいくつかの復調信号を加算平均し
て出力信号を生成させる信号処理制御機能とを備えている。
【００４１】
信号処理部２１Ａは、制御部２２Ａからの信号処理制御信号に基づいて、記憶部２０か
ら送られてくる受信品質が良い方のいくつかの復調信号を加算平均し、該加算平均された
信号をつなぎ合わせて出力信号を生成して出力する処理を行う機能を備えている。
【００４２】
図４（ａ）〜（ｃ）は、実施の形態（２）に係る放送受信装置１０Ａにおける信号処理
方法を説明するための図である。なお、図中Ａのマークは、ノイズを示しており、その大
きさによりノイズレベルの大小を示している。
【００４３】
図４（ａ）に示したように記憶部２０に記憶された各受信部の復調信号の中から所定時
間ｔ毎に判定された放送電波の受信品質レベルが高い上位２つの復調信号が読み出され、
信号処理部２１Ａに送出される。信号処理部２１Ａに入力された前記受信品質レベルが高
い上位２つの復調信号は、図４（ｂ）に示したように加算処理された後、図４（ｃ）に示
したように平均化処理が施され、加算平均処理された信号をつなぎ合わせて出力信号を生
成する処理が行われるようになっている。
【００４４】
受信品質レベルが高い上位２つの復調信号を加算することにより、信号のレベルは２倍
に増幅されるが、異なるタイミングで発生しているノイズのレベルは増幅されない。した
がって、その後の平均化処理により、加算された信号を平均化することにより、加算され
た信号に含まれるノイズ成分が小さくなり（この場合約１／２になり）、Ｓ／Ｎ比が改善
されることとなる。
【００４５】
図５は、実施の形態（２）に係る放送受信装置１０Ａにおける制御部２２Ａが行う処理
動作を示したフローチャートである。なお本処理動作は、放送電波の受信時に所定時間毎
に実行される。また本処理動作は、図３に示したステップＳ３、Ｓ４の代わりに、ステッ
プＳ１１、Ｓ１２を挿入したものであり、以下相違点のみ説明することとする。
【００４６】
ステップＳ１１では、判定された各受信部における放送電波の受信品質レベルに基づい
て、記憶部２０に記憶された各受信部の復調信号の中から受信品質レベルが高い上位２つ
放送電波から取り出された復調信号を読み出す制御を行い、その後ステップＳ１２に進む
。
【００４７】
ステップＳ１２では、信号処理部２１に対して、記憶部２０から読み出された受信品質
レベルが高い上位２つの復調信号を加算平均し、加算平均した信号をつなぎ合わせて出力
信号を生成させる制御を行い、その後ステップＳ１に戻り処理を繰り返す。
【００４８】
上記実施の形態（２）に係る放送受信装置１０Ａによれば、記憶部２０に記憶された各
受信部の復調信号の中から受信品質レベルが高い上位２つの復調信号が読み出され、信号
処理部２１Ａによって、記憶部２０から送られてきた前記受信品質が高い上位２つの復調
信号が加算平均され、該加算平均された信号をつなぎ合わせながら出力信号が生成される
。したがって、前記加算平均された信号に基づいて生成された出力信号が切れ目なく出力
されることとなり、出力される信号の乱れをなくすことができ、受信電波の状態が頻繁に
変化する場合でも、乱れのない信号を出力することができる。また、前記加算平均により
復調信号にもともと含まれるノイズレベルを低減することができ、出力される信号のＳ／
Ｎ比を改善することができ、出力される信号の質を高めることができる。
【００４９】
次に実施の形態（３）に係る放送受信装置について説明する。但し実施の形態（３）に
係る放送受信装置１０Ｂの構成については、信号処理部と、制御部とを除いて図１に示し
た放送受信装置１０と同様であるため、ここでは異なる機能を有する信号処理部２１Ｂと
、制御部２２Ｂとには異なる符号を付し、その他の構成部品の説明を省略する。
【００５０】
制御部２２Ｂは、受信状態検出部１９からの検出信号に基づいて、各受信部における放
送電波の受信品質を判定する機能と、該判定結果に基づいて、記憶部２０に記憶された各
受信部の復調信号の中から受信品質が所定レベル以上の復調信号を読み出す読出制御機能
と、前記受信品質が所定レベル以上の復調信号を加算平均して出力信号を生成させる信号
処理制御機能とを備えている。
【００５１】
信号処理部２１Ｂは、制御部２２Ｂからの信号処理制御信号に基づいて、記憶部２０か
ら送られてくる受信品質が所定レベル以上の復調信号を加算平均し、該加算平均された信
号をつなぎ合わせて出力信号を生成して出力する処理を行う機能を備えている。
【００５２】
図６（ａ）〜（ｃ）は、実施の形態（３）に係る放送受信装置１０Ｂにおける信号処理
方法を説明するための図である。なお、図中Ａのマークは、ノイズを示しており、その大
きさによりノイズレベルの大小を示している。
【００５３】
図６（ａ）に示したように記憶部２０に記憶された各受信部の復調信号の中から所定時
間ｔ毎に判定された受信品質レベルが所定レベル以上の復調信号（例えば、レベル４以上
の復調信号）が信号処理部２１Ｂに送出される。なお、所定レベル以上の復調信号が含ま
れていない場合は、その中で最も受信品質レベルが高い復調信号（レベル３、２、１の順
）が読み出され、信号処理部２１Ｂに送出される。
【００５４】
信号処理部２１Ｂに入力された前記受信品質レベルが所定レベル以上の復調信号は、図
６（ｂ）に示したように加算処理された後、図６（ｃ）に示したように平均化処理が施さ
れ、加算平均処理された信号をつなぎ合わせて出力信号を生成する処理が行われるように
なっている。
【００５５】
受信品質レベルが所定レベル以上の復調信号を加算することにより、信号レベルは増幅
されるが、異なるタイミングで発生しているノイズは増幅されない。したがって、その後
の平均化処理により、増幅させた信号を平均化することにより、増幅させた信号に含まれ
るノイズ成分が小さくなり（この場合約１／２になり）、Ｓ／Ｎ比が改善される。また、
受信品質レベルが所定レベル以上の復調信号を加算することにより、加算される復調信号
に含まれるノイズ成分が少なくなる。
【００５６】
図７は、実施の形態（３）に係る放送受信装置１０Ｂにおける制御部２２Ｂが行う処理
動作を示したフローチャートである。なお本処理動作は、放送電波の受信時に所定時間毎
に実行される。また図７に示した処理動作は、図３に示したステップＳ３、Ｓ４の代わり
に、ステップＳ２１〜Ｓ２５が挿入されたものであり、以下相違点のみ説明することとす
る。
【００５７】
ステップＳ２１では、受信品質レベルが所定レベル以上の放送電波から取り出された復
調信号が含まれているか否かを判断し、所定レベル以上の復調信号が含まれていると判断
すればステップＳ２２に進む。ステップＳ２２では、記憶部２０に記憶された各受信部の
復調信号の中から受信品質レベルが所定レベル以上の復調信号を読み出す制御を行い、そ
の後ステップＳ２３に進む。
【００５８】
ステップＳ２３では、信号処理部２１に対して、記憶部２０から送られてくる前記受信
品質レベルが所定レベル以上の復調信号を加算平均し、該加算平均した信号をつなぎ合わ
せて出力信号を生成させる制御を行い、その後ステップＳ１に戻る。なお、受信品質レベ
ルが所定レベル以上の復調信号が複数ない場合は、加算平均せずに復調信号をつなぎ合わ
せて出力信号が生成される。
【００５９】
一方、ステップＳ２１において、所定レベル以上の復調信号が含まれていないと判断す
ればステップＳ２４に進む。ステップＳ２４では、受信品質レベルが所定レベル未満の中
で最も高い放送電波から取り出された復調信号を読み出す制御を行い、その後ステップＳ
２５に進む。ステップＳ２５では、信号処理部２１に対して、記憶部２０から送られてく
る前記受信品質レベルが所定レベル未満の中で最も高い復調信号をつなぎ合わせて出力信
号を生成させる制御を行い、その後ステップＳ１に戻り処理を繰り返す。
【００６０】
上記実施の形態（３）に係る放送受信装置１０Ｂによれば、記憶部２０に記憶された各
受信部の復調信号の中から受信品質が所定レベル以上の復調信号が読み出され、信号処理
部２１Ｂによって、記憶部２０から送られてきた前記受信品質が所定レベル以上の復調信
号が加算平均され、該加算平均された信号をつなぎ合わせて出力信号が生成される。した
がって、前記加算平均された信号に基づいて生成された出力信号が切れ目なく出力される
こととなり、上記放送受信装置１０と略同様に、出力される復調信号の瞬間的な乱れ等を
なくすことができ、受信電波の状態が頻繁に変化する場合でも、乱れのない信号を出力す
ることができる。
【００６１】
また、上記実施の形態（２）に係る放送受信装置１０Ａと比較して、受信品質が所定レ
ベル以上の復調信号が加算平均されるので、出力される信号に含まれるノイズレベルを低
く抑えることができ、出力される信号のＳ／Ｎ比をさらに改善して、出力信号の品質を一
層向上させることができる。  
【００６２】
次に実施の形態（４）に係る放送受信装置について説明する。但し実施の形態（４）に
係る放送受信装置１０Ｃの構成については、信号処理部と、制御部とを除いて図１に示し
た放送受信装置１０と同様であるため、ここでは異なる機能を有する信号処理部２１Ｃと
、制御部２２Ｃとには異なる符号を付し、その他の構成部品の説明を省略する。
【００６３】
制御部２２Ｃは、受信状態検出部１９からの検出信号に基づいて、各受信部における放
送電波の受信品質を判定する機能と、記憶部２０に記憶された各受信部の復調信号を読み
出す読出制御機能と、読み出された復調信号の受信品質に応じた重み付け（すなわち、受
信品質レベルが高い程、信号処理時の増幅レベルが大きくなるように設定する）を行い、
該重み付けした信号を加算平均して出力信号を生成させる信号処理制御機能とを含んで構
成されている。
【００６４】
信号処理部２１Ｃは、制御部２２Ｃからの信号処理制御信号に基づいて、記憶部２０か
ら送られてくる各復調信号の受信品質に応じた重み付けを行い、該重み付けされた信号を
加算平均し、該加算平均された信号をつなぎ合わせて出力信号を生成する処理を行う機能
を備えている。
【００６５】
図８（ａ）〜（ｄ）は、実施の形態（４）に係る放送受信装置１０Ｃにおける信号処理
方法を説明するための図である。なお、図中Ａのマークはノイズを示しており、その大き
さによりノイズレベルの大小を示している。
【００６６】
図８（ａ）に示したように記憶部２０に記憶された各受信部の復調信号が、それぞれ所
定時間ｔ単位で信号処理部２１Ｃに送出される。信号処理部２１Ｃに入力された各復調信
号は、図８（ｂ）に示したように受信品質レベルに応じて重み付けされる。この場合、受
信品質レベル毎に、すなわち、レベル５の信号は２倍増幅、レベル４の信号は１．５倍増
幅、レベル３の信号は１倍増幅、レベル２の信号は０．５倍増幅というように重み付けさ
れる。
【００６７】
重み付けされた各信号は、図８（ｃ）に示したように加算処理（この場合、信号のレベ
ルは５倍に増幅）され、その後、図８（ｄ）に示したように平均化処理され（この場合、
加算処理後の信号レベルが１／５になる）元の信号レベルに戻され、加算平均処理された
信号をつなぎ合わせて出力信号を生成する処理が行われるようになっている。
【００６８】
記憶部２０に記憶された各受信部の復調信号に対して受信品質レベルに応じた重み付け
により、受信品質レベルが低い、すなわちノイズの多い復調信号のノイズレベルが低下し
、重み付けされた信号を加算平均処理することにより、さらにノイズレベルが低減される
。
【００６９】
図９は、実施の形態（４）に係る放送受信装置１０Ｃにおける制御部２２Ｃが行う処理
動作を示したフローチャートである。なお本処理動作は、放送電波の受信時に所定時間毎
に実行される。また図９に示した処理動作は、図３に示したステップＳ３、Ｓ４の代わり
に、ステップＳ３１、Ｓ３２が挿入されたものであり、以下相違点のみ説明することとす
る。
【００７０】
ステップＳ３１では、記憶部２０に記憶された各受信部の復調信号を読み出す制御を行
い、その後ステップＳ３２に進む。
ステップＳ３２では、信号処理部２１Ｃに対して、記憶部２０から送られてくる各復調
信号に受信品質レベルに応じた重み付けを行い、重み付けされた各信号を加算平均して、
該加算平均した信号をつなぎ合わせて出力信号を生成させる制御を行い、その後ステップ
Ｓ１に戻り処理を繰り返す。
【００７１】
上記実施の形態（４）に係る放送受信装置１０Ｃによれば、記憶部２０に記憶された各
受信部の復調信号が読み出され、信号処理部２１Ｃによって、記憶部２０から送られてき
た各復調信号の受信品質に応じた重み付けが行われ、該重み付けされた信号を加算平均し
た信号をつなぎ合わせて出力信号が生成される。したがって、前記重み付けされた後、加
算平均された信号に基づいて生成された出力信号が切れ目なく出力されることとなり、上
記実施の形態（１）に係る放送受信装置１０と略同様に、出力される復調信号の瞬間的な
乱れ等をなくすことができ、受信電波の状態が頻繁に変化する場合でも、乱れのない信号
を出力することができる。
【００７２】
また、前記重み付けにより受信品質が低い信号、例えばノイズが多く含まれる信号ほど
増幅レベルを小さくし、受信品質が高い信号、例えばノイズがほとんど含まれていない信
号ほど増幅レベルを大きくするように設定されるため、これらを加算平均すると、受信品
質が低い信号に含まれるノイズ成分を小さくすることができ、複数の復調信号を加算平均
する場合に、信号全体のノイズレベルを一層低減させることができる。
【００７３】
次に実施の形態（５）に係る放送受信装置について説明する。但し実施の形態（５）に
係る放送受信装置１０Ｄの構成については、信号処理部と、制御部とを除いて図１に示し
た放送受信装置１０と同様であるため、ここでは異なる機能を有する信号処理部２１Ｄと
、制御部２２Ｄとには異なる符号を付し、その他の構成部品の説明を省略する。
【００７４】
制御部２２Ｄは、受信状態検出部１９からの検出信号に基づいて、各受信部における放
送電波の受信品質を判定する機能と、記憶部２０に記憶された各受信部の復調信号の中か
ら受信品質が最も良い復調信号と、受信品質が悪い方のいくつかの（例えば、下位２つの
）復調信号とを読み出すための読出制御機能と、前記受信品質が悪い方の復調信号からノ
イズ成分を検出し、該ノイズ成分を用いて、前記受信品質が最も良い復調信号に含まれる
ノイズ成分を除去した出力信号を生成させる信号処理制御機能とを備えている。
【００７５】
信号処理部２１Ｄは、制御部２０からの信号処理制御信号に基づいて、記憶部２０から
送られてくる前記受信品質が悪い方の復調信号からノイズ成分を検出し、該ノイズ成分を
用いて、前記受信品質が良い復調信号に含まれるノイズ成分を除去した信号に基づいて出
力信号を生成する処理を行うものである。
【００７６】
図１０（ａ）〜（ｃ）は、実施の形態（５）に係る放送受信装置１０Ｄにおける信号処
理方法を説明するための図である。なお、図中Ａのマークはノイズを示しており、その大
きさによりノイズレベルの大小を示している。
【００７７】
図１０（ａ）に示したように記憶部２０に記憶された各受信部の復調信号の中から受信
品質レベルが最も高い復調信号と、受信品質レベルが低い下位２つの復調信号とが所定時
間ｔ単位で読み出され、信号処理部２１Ｄに送出される。
【００７８】
信号処理部２１Ｄに入力された受信品質レベルが低い下位２つの復調信号から、図１０
（ｂ）に示したようにノイズ成分からなる信号が検出され、その後、図１０（ｃ）に示し
たように検出されたノイズ成分を用いて、受信品質レベルが最も高い復調信号に含まれる
ノイズ成分を除去し、該ノイズ成分が除去された信号をつなぎ合わせて出力信号を生成す
る処理が行われるようになっている。
【００７９】
したがって、受信品質レベルが最も高い復調信号に含まれるノイズ成分が除去されるこ
とにより、全てのアンテナに対して妨害が入るようなノイズであっても除去することが可
能となっている。
【００８０】
図１１は、実施の形態（５）に係る放送受信装置１０Ｄにおける制御部２２Ｄが行う処
理動作を示したフローチャートである。なお本処理動作は、放送電波の受信時に所定時間
毎に実行される。また図１１に示した処理動作は、図３に示したステップＳ３、Ｓ４の代
わりに、ステップＳ４１、４２が挿入されたものであり、以下相違点のみ説明することと
する。
【００８１】
ステップＳ４１では、記憶部２０に記憶された各受信部の復調信号の中から受信品質レ
ベルが最も高い復調信号と、受信品質レベルが低い下位２つの復調信号とを読み出す制御
を行い、その後ステップＳ４２に進む。
【００８２】
ステップＳ４２では、信号処理部２１Ｄに対して、受信品質が悪い方の復調信号に含ま
れるノイズ成分を検出し、該ノイズ成分を用いて、受信品質が最も良い復調信号に含まれ
るノイズ成分を除去した信号をつなぎ合わせて出力信号を生成させる制御を行い、その後
ステップＳ１に戻り処理を繰り返す。
【００８３】
上記実施の形態（５）に係る放送受信装置１０Ｄによれば、記憶部２０に記憶された各
受信部の復調信号の中から受信品質が最も良い復調信号と、受信品質が悪い方の１つ以上
の復調信号とが読み出され、信号処理部２１Ｄによって、記憶部２０から送られてきた前
記受信品質が悪い方の復調信号に含まれるノイズ成分が検出され、該ノイズ成分を用いて
、前記受信品質が最も良い復調信号に含まれるノイズ成分を除去した信号をつなぎ合わせ
て出力信号が生成される。したがって、前記受信品質が最も良い復調信号に含まれるノイ
ズ成分が除去された信号に基づいて生成された出力信号が切れ目なく出力されることとな
り、上記放送受信装置１０と同様に、出力される復調信号の瞬間的な乱れ等をなくすこと
ができ、受信電波の状態が頻繁に変化する場合でも、乱れのない信号を出力することがで
きる。また、前記受信品質が良い復調信号に含まれるノイズ成分も除去することができ、
各アンテナから受信された電波全てに何らかのノイズなどが入っている場合でも、それら
のノイズ成分を除去した信号を出力することができ、出力信号の品質を一層向上させるこ
とができる。
【００８４】
次に実施の形態（６）に係る放送受信装置について説明する。但し実施の形態（６）に
係る放送受信装置１０Ｅの構成については、信号処理部と、制御部とを除いて図１に示し
た放送受信装置１０と同様であるため、ここでは異なる機能を有する信号処理部２１Ｅと
、制御部２２Ｅとには異なる符号を付し、その他の構成部品の説明を省略する。
【００８５】
制御部２２Ｅは、受信状態検出部１９からの検出信号に基づいて、各受信部における放
送電波の受信品質を判定する機能と、記憶部２０に記憶された各受信部の復調信号の中か
ら受信品質が所定レベル以上の復調信号と受信品質が所定レベル未満の復調信号とを読み
出すための読出制御機能と、前記受信品質が所定レベル未満の復調信号に含まれるノイズ
成分を検出し、前記受信品質が所定レベル以上の復調信号を加算平均し、前記ノイズ成分
を用いて、前記加算平均された信号に含まれるノイズ成分を除去した信号に基づいて出力
信号を生成させる信号処理制御機能とを備えている。
【００８６】
信号処理部２１Ｅが、制御部２２Ｅからの信号処理制御信号に基づいて、記憶部２０か
ら送られてくる前記受信品質が所定レベル未満の復調信号に含まれるノイズ成分を検出し
、前記受信品質が所定レベル以上の復調信号を加算平均し、前記ノイズ成分を用いて、前
記加算平均された信号に含まれるノイズ成分を除去した信号をつなぎ合わせて出力信号を
生成する処理を行う機能を備えている。
【００８７】
図１２（ａ）〜（ｅ）は、実施の形態（６）に係る放送受信装置１０Ｅにおける信号処
理方法を説明するための図である。なお、図中Ａのマークはノイズを示しており、その大
きさによりノイズレベルの大小を示している。
【００８８】
図１２（ａ）に示したように記憶部２０に記憶された各受信部の復調信号の中から受信
品質レベルが所定レベル以上（例えばレベル４以上）の復調信号と、受信品質レベルが所
定レベル未満（例えばレベル４未満）の復調信号とが読み出され、信号処理部２１Ｅに送
出される。
【００８９】
信号処理部２１Ｅに入力された受信品質レベルが所定レベル未満の２つの復調信号から
は、図１２（ｂ）に示したようにノイズ成分信号が検出される一方、受信品質レベルが所
定レベル以上の２つの復調信号は、図１２（ｃ）に示したように加算処理が行われ、その
後、図１２（ｄ）に示したように平均化処理が施される。
【００９０】
そして図１２（ｅ）に示したように、前記検出されたノイズ成分信号を用いて、前記加
算平均処理された信号に含まれるノイズ成分を除去する処理が行われ、同相のノイズ成分
が除去された信号をつなぎ合わせて出力信号を生成する処理が行われるようになっている
。
【００９１】
したがって、受信品質レベルが所定レベル以上の復調信号が加算平均処理された信号に
含まれるノイズ成分が除去されることにより、全てのアンテナに対して妨害が入るような
ノイズであっても除去することが可能となり、ノイズレベルの一層の低減が図られること
となる。
【００９２】
図１３は、実施の形態（６）に係る放送受信装置１０Ｅにおける制御部２２Ｅが行う処
理動作を示したフローチャートである。なお本処理動作は、放送電波の受信時に所定時間
毎に実行される。また図１３に示した処理動作は、図３に示したステップＳ３、Ｓ４の代
わりに、ステップＳ５１、Ｓ５２が挿入されたものであり、以下相違点のみ説明すること
とする。
【００９３】
ステップＳ５１では、記憶部２０に記憶された各受信部の復調信号の中から受信品質レ
ベルが所定レベル以上の復調信号と、受信品質レベルが所定レベル未満の復調信号とを読
み出す制御を行い、その後ステップＳ５２に進む。
【００９４】
ステップＳ５２では、信号処理部２１Ｅに対して、受信品質が所定レベル未満の復調信
号に含まれるノイズ成分を検出し、受信品質が所定レベル以上の復調信号を加算平均し、
前記ノイズ成分を用いて、加算平均された信号に含まれるノイズ成分を除去した信号をつ
なぎ合わて出力信号を生成させる制御を行い、その後ステップＳ１に戻り処理を繰り返す
。
【００９５】
上記実施の形態（６）に係る放送受信装置１０Ｅによれば、記憶部２０に記憶された各
受信部の復調信号の中から受信品質が所定レベル以上の復調信号と受信品質が所定レベル
未満の復調信号とが読み出され、信号処理部２１Ｅによって、記憶部２０から送られてき
た前記受信品質が所定レベル未満の復調信号に含まれるノイズ成分が検出され、前記受信
品質が所定レベル以上の復調信号が加算平均され、前記ノイズ成分を用いて、前記加算平
均された信号に含まれるノイズ成分が除去された信号をつなぎ合わせた出力信号が生成さ
れる。したがって、前記加算平均された信号に含まれるノイズ成分が除去された信号に基
づいて生成された出力信号が切れ目なく出力されることとなり、上記実施の形態（１）に
係る放送受信装置１０と同様な効果、すなわち、出力信号の瞬間的な乱れ等をなくすこと
ができ、受信電波の状態が頻繁に変化する場合でも、乱れのない信号を出力することがで
きる。また、前記受信品質が所定レベル以上の復調信号を加算平均することにより、平均
後の信号に含まれるノイズレベルを低減することができる。
【００９６】
次に実施の形態（７）に係る放送受信装置について説明する。但し実施の形態（７）に
係る放送受信装置１０Ｆの構成については、信号処理部と制御部とを除いて図１に示した
放送受信装置１０と同様であるため、ここでは異なる機能を有する信号処理部２１Ｆと制
御部２２Ｆとには異なる符号を付し、その他の構成部品の説明を省略する。
【００９７】
上記実施の形態（１）〜（６）に係る放送受信装置では、制御部で行われる読出制御と
信号処理制御とのパターンが決まっていたが、実施の形態（７）に係る放送受信装置１０
Ｆでは、制御部２２Ｆが、受信品質レベルに応じた読出制御と信号処理制御との複数の制
御パターンを備えており、これら制御パターンの中から、判定された受信品質に応じた読
出制御と信号処理制御とを行う機能を備えている。また、信号処理部２１Ｆは、制御部２
２Ｆからの信号処理制御信号に基づいて、前記受信品質レベルに応じた信号処理を行う機
能を備えている。すなわち、実施の形態（７）に係る放送受信装置１０Ｆでは、判定され
た放送電波の受信品質レベルに応じて、上記実施の形態（１）〜（６）に係る各放送受信
装置で説明した信号処理が、適宜組み合わされて実行されるようになっている。
【００９８】
図１４は、実施の形態（７）に係る放送受信装置１０Ｆにおける制御部２２Ｆが行う処
理動作を示したフローチャートである。なお本処理動作は、放送電波の受信時に所定時間
毎に実行される。
【００９９】
まず、ステップＳ６１では、受信状態検出部１９から各受信部における放送電波の受信
状態（例えば、受信電界強度、ノイズレベル、Ｓ／Ｎ比など）の検出信号を取得する処理
を行い、その後ステップＳ６２に進む。
【０１００】
ステップＳ６２では、取得した各受信部における放送電波の受信状態の検出信号に基づ
いて、各受信部における放送波の受信品質のレベルを５段階判定する処理を行い、その後
ステップＳ６３に進む。
【０１０１】
ステップＳ６３では、受信品質が最も高いレベル５の受信状態の復調信号が含まれてい
るか否かを判断し、レベル５の受信状態の復調信号が含まれていると判断すればステップ
Ｓ６４に進む。
【０１０２】
ステップＳ６４では、記憶部２０に記憶された各受信部の復調信号の中から受信品質が
レベル５の受信状態の復調信号を読み出す制御を行い、その後ステップＳ６５に進む。ス
テップＳ６５では、信号処理部２１に対して、記憶部２０から読み出された受信品質がレ
ベル５の受信状態の復調信号をつなぎ合わせて出力信号を生成させる制御を行い、その後
ステップＳ６１に戻る。
【０１０３】
一方、ステップＳ６３において、受信品質がレベル５の受信状態の復調信号が含まれて
いないと判断すればステップＳ６６に進む。ステップＳ６６では、受信品質が２番目に高
いレベル４の受信状態の復調信号がいくつ含まれているかを判断し、レベル４の受信状態
の復調信号が２つ以上含まれていると判断すればステップＳ６７に進む。
【０１０４】
ステップＳ６７では、記憶部２０に記憶された各復調信号の中から受信品質がレベル４
の受信状態の復調信号を読み出す制御を行い、その後ステップＳ６８に進む。ステップＳ
６８では、信号処理部２１に対して、記憶部２０から読み出されたレベル４の受信状態の
復調信号を加算平均し、該加算平均した信号をつなぎ合わせて出力信号を生成させる制御
を行い、その後ステップＳ６１に戻る。
【０１０５】
一方、ステップＳ６６において、受信品質がレベル４の受信状態の復調信号が１つ以下
であると判断すればステップＳ６９に進む。ステップＳ６９では、レベル４の受信状態の
復調信号が１つ含まれているか否かを判断し、レベル４の受信状態の復調信号が１つ含ま
れていると判断すればステップＳ７０に進む。
【０１０６】
ステップＳ７０では、レベル４の受信状態の復調信号と、受信品質のレベルが低い下位
２つの復調信号とを読み出す制御を行い、その後ステップＳ７１に進む。ステップＳ７１
では、信号処理部２１に対して、受信品質のレベルが低い下位２つの復調信号に含まれる
ノイズ成分を検出し、該ノイズ成分を用いて、レベル４の受信状態の復調信号に含まれる
ノイズ成分を除去した信号をつなぎ合わせて出力信号を生成させる制御を行い、その後ス
テップＳ６１に戻る。
【０１０７】
一方、ステップＳ６９において、レベル４の受信状態の復調信号が１つも含まれていな
いと判断すればステップＳ７２に進む。ステップＳ７２では、記憶部２０に記憶された各
復調信号の中から受信品質レベルが高い上位２つの復調信号と、受信品質レベルが低い下
位２つの復調信号とを読み出す制御を行い、その後ステップＳ７３に進む。
【０１０８】
ステップＳ７３では、信号処理部２１に対して、受信品質のレベルが低い下位２つの復
調信号に含まれるノイズ成分を検出し、受信品質のレベルが高い上位２つの復調信号に重
み付けを行い、重み付けされた上位２つの信号を加算平均し、前記ノイズ成分を用いて、
加算平均された信号に含まれるノイズ成分を除去した信号をつなぎ合わせて出力信号を生
成させる制御を行い、その後ステップＳ６１に戻り処理を繰り返す。
【０１０９】
上記実施の形態（７）に係る放送受信装置１０Ｆによれば、制御部２２Ｆが、受信品質
のレベルに応じた読出制御と信号処理制御との複数の制御パターンを備え、これら制御パ
ターンの中から、判定された受信品質に対応した読出制御と信号処理制御とが行われ、信
号処理部２１Ｆにより、制御部２０からの信号処理制御信号に基づいて、受信品質のレベ
ルに応じた信号処理が行われるので、前記受信品質のレベルに応じた適切な信号処理を行
うことができ、ノイズレベルを低減させた高品質な信号を出力することが可能となる。
【図面の簡単な説明】
【０１１０】
【図１】本発明の実施の形態（１）に係る放送受信装置の要部を概略的に示したブロック図である。
【図２】（ａ）、（ｂ）は、実施の形態（１）に係る放送受信装置における信号処理方法を説明するための図である。
【図３】実施の形態（１）に係る放送受信装置における制御部が行う処理動作を示したフローチャートである。
【図４】（ａ）〜（ｃ）は、実施の形態（２）に係る放送受信装置における信号処理方法を説明するための図である。
【図５】実施の形態（２）に係る放送受信装置における制御部が行う処理動作を示したフローチャートである。
【図６】（ａ）〜（ｃ）は、実施の形態（３）に係る放送受信装置における信号処理方法を説明するための図である。
【図７】実施の形態（３）に係る放送受信装置における制御部が行う処理動作を示したフローチャートである。
【図８】（ａ）〜（ｄ）は、実施の形態（４）に係る放送受信装置における信号処理方法を説明するための図である。
【図９】実施の形態（４）に係る放送受信装置における制御部が行う処理動作を示したフローチャートである。
【図１０】（ａ）〜（ｃ）は、実施の形態（５）に係る放送受信装置における信号処理方法を説明するための図である。
【図１１】実施の形態（５）に係る放送受信装置における制御部が行う処理動作を示したフローチャートである。
【図１２】（ａ）〜（ｅ）は、実施の形態（６）に係る放送受信装置における信号処理方法を説明するための図である。
【図１３】実施の形態（６）に係る放送受信装置における制御部が行う処理動作を示したフローチャートである。
【図１４】実施の形態（７）に係る放送受信装置における制御部が行う処理動作を示したフローチャートである。
【図１５】従来のディジタル放送受信装置の要部を概略的に示したブロック図である。
【符号の説明】
【０１１１】
１０、１０Ａ、１０Ｂ、１０Ｃ、１０Ｄ、１０Ｅ、１０Ｆ  放送受信装置
１１  第１のアンテナ
１２  第１の受信部
１３  第２のアンテナ
１４  第２の受信部
１５  第３のアンテナ
１６  第３の受信部
１７  第４のアンテナ
１８  第４の受信部
１９  受信状態検出部
２０  記憶部
２１、２１Ａ、２１Ｂ、２１Ｃ、２１Ｄ、２１Ｅ、２１Ｆ  信号処理部
２２、２２Ａ、２２Ｂ、２２Ｃ、２２Ｄ、２２Ｅ、２２Ｆ  制御部
【図１】
2005341349.tif 000003
【図２】
2005341349.tif 000004
【図３】
2005341349.tif 000005
【図４】
2005341349.tif 000006
【図５】
2005341349.tif 000007
【図６】
2005341349.tif 000008
【図７】
2005341349.tif 000009
【図８】
2005341349.tif 000010
【図９】
2005341349.tif 000011
【図１０】
2005341349.tif 000012
【図１１】
2005341349.tif 000013
【図１２】
2005341349.tif 000014
【図１３】
2005341349.tif 000015
【図１４】
2005341349.tif 000016
【図１５】
2005341349.tif 000017